(57)【要約】  ケージプラットホーム全体を安定化させるために、プラットホームセクションの上面に安定輪郭形成されたプラットホーム縁部（８）が結合される。プラットホームセクションには、平行垂直面に配置された結合点（２．１、３．１、４．１）も設けられ、平行垂直面においてプラットホームセクションが結合要素によって相互に追加連結される。ケージプラットホーム（１、２１）は、製造施設内に２つの分離したプラットホームセクション（２、３、４）の形で用意され、２つの輪郭形成されたプラットホーム縁部と共にエレベータの設置場所まで搬送される。ケージプラットホーム（１、２１）の分離したプラットホームセクション（２、３、４、２２、２３、２４）と、輪郭形成されたプラットホーム縁部は、ケージプラットホームを形成するように、設置場所で結合要素によって一体に結合される。
2008512325.tif 000002
【特許請求の範囲】
【請求項１】
複数のプラットホームセクション（２、３、４、２２、２３、２４）を含むかごプラットホーム（１、２１）を備えるエレベータかごであって、
プラットホームセクション（２、３、４、２２、２３、２４）に固定されたプラットホーム縁部セクション（８、２８）が、全てのプラットホームセクション（２、３、４、２２、２３、２４）の上面の上に延在することを特徴とする、エレベータかご。
【請求項２】
プラットホーム縁部セクション（８、２８）が、かごプラットホーム（１、２１）の２つの反対側に位置する側縁部の領域に取り付けられることを特徴とする、請求項１に記載のエレベータかご。
【請求項３】
プラットホーム縁部セクション（８、２８）の断面および材料が、それらが、他の構成要素の関与なしにかご内の荷重が中央プラットホームセクション（２、２２）から突出するプラットホームセクションに及ぼす曲げ応力を吸収することができ、それによってプラットホームセクションの長さの１％未満のたわみを受けるように選択されることを特徴とする、請求項１または２に記載のエレベータかご。
【請求項４】
プラットホーム縁部セクション（８、２８）が、鋼鉄またはアルミニウム合金からなり、重力の水平軸に対して少なくとも５０ｃｍ４の断面二次モーメントおよび／または少なくとも６ｃｍの全高を有する断面を有することを特徴とする、請求項１から３の一項に記載のエレベータかご。
【請求項５】
プラットホーム縁部セクション（８、２８）が、エレベータかごの側壁をかごプラットホーム（１、２１）に固定させるための締結要素を形成することを特徴とする、請求項１から４の一項に記載のエレベータかご。
【請求項６】
前部および後部プラットホームセクション（３、４、２３、２４）が、中央プラットホームセクション（２、２２）に接して配置され、前部および後部プラットホームセクション（３、４、２３、２４）が、エレベータかご内に存在する様々な機能を果たすことができるように様々な形状にすることができることを特徴とする、請求項１から５の一項に記載のエレベータかご。
【請求項７】
プラットホームセクション（２、３、４、２２、２３、２４）のうちの少なくとも２つが平行垂直面に配置された締結点（２．１、３．１、４．１、２２．１、２３．１、２４．１）を有し、その平行垂直面においてこれらのプラットホームセクションが締結要素（１０、３０）によって互いに固定されることを特徴とする、請求項１から６の一項に記載のエレベータかご。
【請求項８】
前部および／または後部プラットホームセクション（３、４、２３、２４）が、単品のプラットホームセクションとして製作されるあるいは複数のサブセクション（２３ａ、２３ｂ、２４ａ、２４ｂ）を含むことを特徴とする、請求項１から７の一項に記載のエレベータかご。
【請求項９】
かごプラットホーム（２１）の前部および後部プラットホームセクション（２３、２４）および／またはそれらのサブセクション（２３ａ、２３ｂ、２４ａ、２４ｂ）が、それぞれが１つの一体金属薄板からなるＵ字形曲りセクションとして製作されることを特徴とする、請求項８に記載のエレベータかご。
【請求項１０】
複数のプラットホームセクション（２、３、４、２２、２３、２４）で構成されたかごプラットホーム（１、２１）を備えるエレベータかごを含むエレベータを設置する方法であって、
複数のプラットホームセクション（２、３、４、２２、２３、２４）に分割されたかごプラットホーム（１、２１）と２つのプラットホーム縁部セクション（８、２８）が、工場で用意されるステップと、
組立前のプラットホームセクション（２、３、４、２２、２３、２４）が、プラットホーム縁部セクション（８、２８）と共にエレベータの設置場所まで搬送されるステップと、
エレベータの設置場所での組立時に、互いに分離して搬送されたかごプラットホーム（１、２１）のプラットホームセクション（２、３、４、２２、２３、２４）と、プラットホーム縁部セクション（８、２８）が、締結要素（１０、３０）によって結合されてかごプラットホーム（１、２１）が形成され、プラットホームセクションが、互いに正確に位置合せされ、プラットホーム縁部セクションを用いて補強されるステップとを含むことを特徴とする、方法。
【請求項１１】
かごプラットホーム（１、２１）のプラットホームセクション（２、３、４、２２、２３、２４）が、平行垂直面に配置された締結点（２．１、３．１、４．１、２２．１、２３．１、２４．１）において互いに追加結合されることを特徴とする、請求項１０に記載の方法。
【請求項１２】
かごプラットホーム（１、２１）の組立が、
プラットホームセクション（２、３、４、２２、２３、２４）が、それらの対応する垂直締結点（２．１、３．１、４．１、２２．１、２３．１、２４．１）が互いに対向して位置するように、エレベータかごの長手方向に互い隣接して配置されるステップと、
プラットホーム縁部セクション（８、２８）が、全てのプラットホームセクション（２、３、４、２２、２３、２４）の上面上に置かれ、締結要素（１０、３０）によってプラットホームセクションにゆるく固定されるステップと、
締結要素（１０、３０）が、垂直締結点（２．１、３．１、４．１、２２．１、２３．１、２４．１）の領域の開口部に挿通され、プラットホームセクション（２、３、４、２２、２３、２４）が、締結要素を用いてプレテンションなしにそれらの垂直締結点の領域で互いに寄り合うステップと、
締結要素（１４、３４、１０、３０）が、プラットホーム縁部セクション（８、２８）と垂直締結点（２．１、３．１、４．１、２２．１、２３．１、２４．１）とで交互に次第に締められ、それによってプラットホームセクション（２、３、４、２２、２３、２４）が互いに自発的に位置合せされるステップとを含むことを特徴とする、請求項１１に記載の方法。
【発明の詳細な説明】
【技術分野】
【０００１】
本発明の対象は、複数のプラットホームセクションを含むかごプラットホームを備えるエレベータかご、およびそのようなエレベータかごを設置する方法である。
【背景技術】
【０００２】
かごプラットホームは、エレベータかごの基本的な支持構造を形成する。かごプラットホームは、かご内の荷重およびかごの他の構成要素によってかかる静的および動的応力に耐えるように、十分に剛性をもたせて設計されなければならない。かごの床領域は、エレベータかごが設計される対象のかご内の荷重に特定の態様で関連している。
【０００３】
独国特許第３１３４７６４号明細書より、比較的薄い鋼板製の少なくとも２つのプラットホームセクションを含むエレベータかご用プラットホームが知られている。この２つのプラットホームセクションは、エレベータかごの長さに沿って互いに隣接して配置され、溶接によって互いに固定されている。かごプラットホームの必要な剛性を確保するためには、すなわち、前後部に突出しかごプラットホーム上の荷重によって曲げ応力を受けるプラットホームセクションを十分補強するためには、その前端部および／または後端部が、かごフレームの垂直ストラットにタイロッドによって連結される。本構造方法の利点として、圧延形鋼で製作されたかごプラットホームと比較した製造の容易さおよび重量の低減が挙げられている。
【発明の開示】
【発明が解決しようとする課題】
【０００４】
独国特許第３１３４７６４号明細書の手法に従って製造されたかごプラットホームにはいくつかの欠点がある。第１に、かごプラットホームを補強するために必要な、かごフレームの垂直ストラットとプラットホームセクションの前端部および後端部との間の開示済みタイロッド接続部は、製造するのに複雑であり、より長い設置時間を必要とし、必要とされるエレベータ構成要素の数が多くなる。第２に、多くの最新エレベータのエレベータかごは自立構造であり、すなわち、それらは、もはやプラットホームセクションの端部が固定され得るかごフレームを有さない。
【０００５】
本発明の第１の目的は、プラットホームセクションがストラットを用いてかごの他の部分に連結されて補強する必要がないが、それにもかかわらず比較的薄い金属薄板で十分な剛性をもたせて軽量に製造され得る、複数のプラットホームセクションを含むかごプラットホームを備えるエレベータかごを考案することである。
【０００６】
第２の目的は、複数のプラットホームセクションを含むかごプラットホームを備える本発明によるエレベータかごを設置する効率的なかつ材料節減する方法を定義することである。
【課題を解決するための手段】
【０００７】
複数のプラットホームセクションを含むかごプラットホームを備える本発明によるエレベータかごでは、前述の第１の目的は、かごプラットホームの上面上に、全てのプラットホームセクションの上面の上に延在しかつそれらに固定されたプラットホーム縁部セクションが取り付けられることで達成される。
【０００８】
本発明によるエレベータかごは、プラットホーム縁部セクションが、エレベータの動作に必要な、かごの長さに沿ったかごプラットホームの剛性を確保するので、そのかごプラットホームのプラットホームセクションが比較的薄い金属薄板で極めて軽量にかつ単純な形で製造され得るという利点を有する。同時に、プラトホーム縁部セクションは、エレベータかごの側壁にかごプラットホームを固定する締結要素の機能を果たす。こうすることで、通常の場合、それらは、かご床と上記側壁との間に、可視のすなわち美的満足を与える移行要素を形成する。
【０００９】
前述の第２の目的は、複数のプラットホームセクションを含むかごプラットホームを設置する方法によって達成され、この方法では、かごプラットホームの設置が以下のステップで行われる：
かごプラットホームの複数の分離したプラットホームセクションと、２つのプラットホーム縁部セクションが、工場で用意されるステップ；
組立前のプラットホームセクションが、プラットホーム縁部セクションと共にエレベータの設置場所まで搬送されるステップ；
エレベータの設置場所での組立時に、互いに分離して搬送されたかごプラットホームのプラットホームセクションと、プラットホーム縁部セクションが、締結要素によって結合されてかごプラットホームが形成され、プラットホームセクションが、互いに位置合せされ、プラットホーム縁部セクションを用いて補強されるステップ。
【００１０】
「工場での」作業は、エレベータの出荷前およびエレベータの設置場所でのそれの組立前に工場のような条件下で、すなわち、例えば適切な建物内で特に適切な補助器具および装置を使用して行われる作業を意味すると理解される。
【００１１】
エレベータかごを設置するための本発明による方法から利点が派生し、この方法では第１に、剛性プラットホーム縁部セクションの使用により、複数のプラットホームセクションを含むかごプラットホームが、プラットホームセクションが軽量に比較的薄い金属薄板で製造され得るように強化される。それにより、かごプラットホームを設置場所まで輸送し、それをその設置位置、例えば建物のエレベータ昇降路内まで移動させることが非常に容易になる。第２に、エレベータを設置場所に組み立てるとき、軽量のプラットホームセクションは、プラットホームセクションがプラットホーム縁部セクションの効果により互いにほとんど自発的に正確に位置合せされるので、大きな労力を使わずに一体に結合されてかごプラットホームが形成され得る。
【００１２】
本発明の有利な実施形態および他の展開について、以下に説明する。
【００１３】
プラットホーム縁部セクション（８、２８）は、エレベータかごの有効な使用可能領域がそれらの存在によって制限されないように、互いに反対側に位置するかごプラットホーム（１、２１）の２つの側縁部の領域に取り付けられることが好都合である。
【００１４】
プラットホーム縁部セクションが、他の構成要素なしにかご内の荷重が中央プラットホームセクションから突出するプラットホームセクションに及ぼす曲げ応力を吸収することができ、それによってプラットホームセクションの長さの１％未満のたわみを受けるようにプラットホーム縁部セクションの材料および断面が選択されたとき、かごプラットホームの剛性および重量に関する最適条件がもたらされる。
【００１５】
プラットホーム縁部セクションのこれらの特性は、それらが鋼鉄またはアルミニウム合金で製造されること、ならびにそれらが重力の水平軸に対して５０ｃｍ４の断面二次モーメントおよび／または少なくとも６ｃｍの全高を有する断面を有することによって達成されることが好ましい。
【００１６】
本発明の特に好ましい一実施形態によれば、補強要素として働くプラットホーム縁部セクションは、エレベータかごの側壁がそれを用いてかごプラットホームに結合される連結要素も形成する。本解決法により、エレベータかごの側壁とかごプラットホームとの間に剛性連結部が形成され、プラットホーム縁部セクションのこの機能とそれらの補強要素としての機能とを組み合わせることより、かごプラットホームの構造がかなり簡単になり、それによって大幅な費用節減となる。
【００１７】
本発明によるエレベータかごのさらなる好ましい実施形態によれば、前部および後部プラットホームセクションが、中央プラットホームセクションに接して配置される。この概念により、プラットホームセクションは、エレベータかご内に存在する様々な機能の実現を果たすまたは簡略化するために、様々な長さを有し様々な形状も有することができる。
【００１８】
かごプラットホームのプラットホームセクションが平行垂直面に配置された締結点を有し、その垂直面においてこれらのプラットホームセクションが締結要素、好ましくはねじ締結体を用いて互いに追加結合される本発明の一実施形態から重要な利点が派生する。本実施形態では、プラットホームセクションは、特にプラットホーム縁部セクションが同時にプラットホームセクションに連結される場合に締結要素が締め付けられたときに互いに自発的に位置合せされる。さらに、こうした締結点の配置では、プラットホームセクションとプラットホーム縁部セクションとの間の締結要素がせん断力を受けた場合に、締結要素は垂直締結点で引張力を受け、また逆の場合も同じであり、その結果、荷重下でのプラットホームセクションの起こり得る相対的な動きが確実に妨げられる。
【００１９】
本発明によるかごプラットホームの製造に関する突出した融通性は、前部および／または後部プラットホームセクションが、単品のプラットホームセクションとして製作されるあるいは複数のサブセクションを含むことが可能であることによって達成される。
【００２０】
プラットホームセクションまたはそのサブセクションが、１つの一体金属薄板をそれぞれが含むＵ字形曲り金属セクションとして製作された場合に、本発明によるかごプラットホームの特に安価な実施形態がもたらされる。
【００２１】
本発明による方法の好ましい一実施形態によれば、かごプラットホームのプラットホームセクションは、平行垂直面に配置された締結点で締結要素によって互いに固定される。これは、締結要素が締め付けられたときにプラットホームセクションが互いに自発的に位置合せされるという利点を有する。さらに、こうした締結点の配置では、プラットホームセクションとプラットホーム縁部セクションとの間の締結要素がせん断力を受けた場合に締結要素は垂直締結点で引張力を受け、また逆の場合も同じである。このようにして、荷重下でのプラットホームセクションの起こり得る相対的な動きが確実に妨げられる。
【００２２】
本発明による方法の他の有利な展開によれば、エレベータの設置場所におけるかごプラットホームの組立が以下のステップを含む：
プラットホームセクションは、それらのそれぞれ対応する垂直締結点が互いに対向して位置するように、エレベータかごの長さに沿って並べられるステップ；
プラットホーム縁部セクションは、全てのプラットホームセクションの上面上に置かれ、締結要素によってプラットホームセクションにゆるく固定されるステップ；
締結要素は、垂直締結点の領域の開口部に挿通され、プラットホームセクションは、締結要素を用いて引張力なしにそれらの垂直締結点の領域で互いに寄り合うステップ；
締結要素は、プラットホーム縁部セクションと垂直締結点とで交互に次第に締められ、それによってプラットホームセクションが自発的に位置合せされるステップ。
【００２３】
上述のように、プラットホーム縁部セクションおよび垂直締結点に対する締付けを組み合わせることにより、プラットホームセクションが固定されるとき、それらは、関連する締結点の締結要素が交互に次第に締められた場合に互いに自発的に理想的な形で位置合せされる。
【００２４】
続いて以下に、本発明の２つの例示的な実施形態について、添付図面を参照しながら説明する。
【発明を実施するための最良の形態】
【００２５】
図１は、本発明によるエレベータかごのかごプラットホーム１の第１の実施形態の全ての重要な構成部品を備えた構造体を分解図の形で示す。
【００２６】
図２は、組立状態の図１によるかごプラットホーム１を側面図で示す。
【００２７】
かごプラットホーム１は、薄鋼板および鋼板で製作された複数のプラットホームセクション２、３、４を含み、１つの前部プラットホームセクション３および１つの後部プラットホームセクション４が、それぞれ中央プラットホームセクション２に接して配置される。共通面にあるこれらのプラットホームセクションの上面上には、好ましくは積層板として製作されたかご床板が固定される。かご床板プレートとしては、好ましくはアルミニウムまたはプラスチックのハニカムサンドイッチ板あるいは両側に金属積層板を備える木質繊維板が適している。
【００２８】
中央プラットホームセクション２は、かごプラットホーム内に組み込まれた、エレベータかごの安全プランクの形をとる。それはエレベータかごに所要の剛性を与えて、かごプラットホームの下に存在しその中には組み込まれない安全プランクによって占められる、通常のエレベータかご内のスペースが節減される。
【００２９】
安全プランクを形成する中央プラットホームセクション２は、特にかごガイドシューおよび／または安全装置用の締結点２．５、２．６を有する。この安全プランクには安全緩衝器が取り付けられてもよい。さらに、フレキシブルサスペンション手段がそれを介してエレベータかごを支え移動させるサスペンション／リターンプーリ１１が、安全プランクを形成する中央プラットホームセクション２に組み込まれる。この場合、サスペンション／リターンプーリ１１は、サスペンション手段として働くＶリブドベルトのリブおよび溝と共に機能する外周方向に走る溝およびリブを有する。
【００３０】
安全プランクを形成する中央プラットホームセクション２には、安全空間保護装置１２が組み込まれることも可能である。エレベータ昇降路内に固定されたストッパと共に機能するボルト締めロッド１２．１を横方向に延出することにより、例えば、検査トリップ時に、かごの屋根と昇降路上部空間との間および／またはかごの床とエレベータ昇降路の床との間の安全距離を通過できないことを保証する。
【００３１】
プラットホームセクション２、３、４は全て、それぞれ少なくとも２つの縦支持体２．２、３．２、４．２と少なくとも１つの横支持体２．３、３．３、４．３とを含む。横支持体２．３は、かごプラットホーム１に組み込まれたエレベータかごの安全プランクを形成する中央プラットホームセクション２の一部分である。横支持体３．３は、敷居セクション７（図２にのみ示されている）ならびにシャーエプロンの支持体１３を支持する働きをし、横支持体４．３の上部は、かご後壁（図示せず）がそれに固定され得るような構造になっている。
【００３２】
プラットホームセクション２、３、４は、平行垂直面にある締結点２．１、３．１、４．１を有し、その垂直面のそれぞれにおいて、プラットホームセクションのうちの２つが締結要素１０によって互いに固定される。例えばねじ締結体のような取外し可能な締結要素が使用されることが好ましい。しかし、上記垂直面の領域におけるプラットホームセクションの固定が、例えばリベットやスナップ式締結要素のような他の締結要素で行われてもよい。
【００３３】
この締結概念では、エレベータの設置場所においてかごプラットホームを組み立てるとき、結合されるべきそれぞれのプラットホームセクションは、最初に互いに大ざっぱに位置合せされる。次いで、締結要素の助けで、それらは、垂直締結点の領域で互いに寄り合い、その結果、プラットホームセクションは、互いに自発的に位置合せする。相互の位置合せは、プラットホーム縁部セクションを同時に取り付けることよって助けられ、これについては後述する。
【００３４】
エレベータの設置場所での組立時に、プラットホームセクション２、３、４の締結点２．４、３．４、４．４でプラットホームセクション２、３、４に固定され、互いにフランジが付けられた全てのプラットホームセクションの上面の上のかごプラットホーム１の両側縁部の領域に延在する２つのプラットホーム縁部セクションが、８で参照される。プラットホームセクションの上記締結点は、かごプラットホーム１の組立状態でそれらが共通水平面にあるように配置される。プラットホーム縁部セクション８とプラットホームセクション２、３、４との間の固定には、例えばねじ締結体などの取外し可能な締結要素が使用されることが好ましい。しかし、こうした固定は、例えばリベットやポジティブフィット締結要素などの他の締結要素で行われてもよい。プラットホーム縁部セクション８とプラットホームセクション２、３、４との間のポジティブフィット連結が、例えば、スナップファスナを用いて行われてもよい。
【００３５】
プラットホーム縁部セクション８は、それらがかごプラットホーム全体１の剛性に実質的に寄与するような寸法にされる。それらの材料および断面は、それらが、一緒にかつ他の構成要素の関与なしにかご内の荷重が中央プラットホームセクション２から突出するプラットホームセクション３、４に及ぼす曲げ応力を吸収することができ、それによってそれぞれのプラットホームセクションの長さの１％未満のたわみを受けるように選択されることが有利である。プラットホーム縁部セクションのこの特性は、これらが、鋼鉄またはアルミニウム合金で製造されかつ重力の水平軸に対して少なくとも５０ｃｍ４の断面二次モーメントおよび／または少なくとも６ｃｍの全高を有する断面を有することによって達成されるが好ましい。
【００３６】
プラットホーム縁部セクション８は第１に、かごプラットホーム１全体を補強する働きをし、その結果、それに対応してプラットホームセクション２、３、４の剛性に関する要件が削減され得る。したがって、これらは、より軽量に製造され得る。この場合、プラットホームセクション３および４は、最大厚みが２．５ｍｍの鋼板だけで製造される。第２に、プラットホーム縁部セクション８は、かごの側壁（図示せず）をかごプラットホーム１に結合させ、それによってかご床と上記かご側壁との間に可視の見た目に美しい変換要素を形成する働きをする。
【００３７】
エレベータの設置場所での組立時に、プラットホーム縁部セクション８は、それらとプラットホームセクションの間の適所にある締結要素１４を用いて、互いにフランジが付けられたプラットホームセクション２、３、４の上面を正確にかつ互いに同一平面で整合させる働きもする。
【００３８】
前部および／または後部プラットホームセクション３、４の中および／または上には、例えば、敷居セクション７、敷居セクション７の下のシャーエプロンの取付け部１３、かごの後壁の取付け要素４．３．１、エンドスイッチ、電気系統用端子箱、昇降路の照明ランプなどのかごの構成要素が存在することができる。前部および／または後部プラットホームセクション３、４は、これらに機能を果たすことでできるように、対応する様々な形状を有する。
【００３９】
プラットホームセクション２、３、４のうちの１つの中または上に組み込まれた前述の構成要素およびサブシステム（かごのガイドシュー、安全装置、安全緩衝器、サスペンション／リターンプーリ、安全空間確保装置、シャーエプロン、エンドスイッチ、端子箱など）は、エレベータの設置場所における組立費用をできるだけ低く抑えるとともに組立の品質を最適化するために、工場において設置前作業され配線されることが好ましい。複数のプラットホームセクションで構成された本発明によるかごプラットホームは、第１に、輸送され組立場所に持ち込まれるべき個々のプラットホームセクションが、作り付けサブシステムと同等に比較的容易に扱われ、第２に、分離したままのプラットホームセクションが、上記構成要素およびサブシステムが十分に保護されるようにより良好に荷造りされ得るので、この組立概念の理想的な条件を提供する。
【００４０】
プラットホームセクション３、４のそれぞれの長さＬ３、Ｌ４を画定する縦支持体３．２、４．２とプラットホームセクション２、３、４の幅Ｂを画定する横支持体２．３、３．３、４．３が、互いに無関係に製造され在庫されて、プラットホームセクション２、３および４の長さＬ３およびＬ４と幅Ｂが、モジュール寸法の概念に従って選択可能となる。対応する寸法を有する縦支持体と横支持体を組み合わせることによる画定かご寸法を有する具体的注文に基づいてのみ、プラットホームセクションの工場での準備組立が行われる。この製造および在庫概念により、最適供給能力が確保されたままでありながら、かごプラットホームを製造し在庫する費用が極端に低く抑えられ得る。
【００４１】
図３に、本発明によるエレベータかごのかごプラットホーム２１の第２の実施形態の側面図を示す。図４に、このかごプラットホーム２１の長手方向Ａの図と、図３のＩＩ−ＩＩで示された結合部分におけるかごプラットホームの断面図とを示す。
【００４２】
本発明によるかごプラットホーム２１の本実施形態も複数のプラットホームセクション２２、２３、２４を含み、１つの前部プラットホームセクション２３および１つの後部プラットホームセクション２４が、それぞれ中央プラットホームセクション２２に接して配置される。前部および後部プラットホームセクション２３、２４は、複数のサブセクション２３ａ、２３ｂ、２４ａ、２４ｂで構成されることが好ましい。
【００４３】
前部および後部プラットホームセクション２３、２４のサブセクション２３ａ、２３ｂ、２４ａ、２４ｂは、基本的にＵ字形の曲り金属セクションとして製作され、いずれの場合も１つの一体金属薄板から平行曲げ加工によって製作される。Ｕ字形曲り金属セクションの垂直に構成されたウェブは、かごプラットホームの横方向の補強材として働くだけでなく、サブセクションが締結要素３０によって互いに結合されるとともに、中央プラットホームセクション２２と前部および後部プラットホームセクション２３、２４とのそれぞれの間の連結点としても働く、垂直面に配置された締結点２２．１、２３．１、２４．１を形成してもいる。長さの短い前部および後部プラットホームセクションは、１つの一体Ｕ字形曲り金属セクションだけで構成されてもよい。
【００４４】
第１の実施形態と同様に、中央プラットホームセクション２２は、かごプラットホーム２１に組み込まれる安全プランクとして製作され、鋼板だけで製作される。このプラットホームセクション２２は、図１に示されている安全プランクと同様に、かごのガイドシューおよび安全装置用の締結点も有する。しかし、これらの締結点は、プラットホームセクションの特に簡単な構造の説明を損ねないように、ここには示されていない。
【００４５】
前部および後部プラットホームセクション２３、２４は、様々な機能および要件を満たすように、あるいは中央プラットホームセクションの様々な位置を可能にするように、様々な形状のものでもよい。それらは、例えば、それらが敷居セクション２７を受け入れることができるように、あるいはそれらの金属薄板本体の中にかごの後壁を固定するための締結要素２４ｂ．１が組み入れられるように形成されて（曲げられて）いてもよい。中央プラットホームセクション２２（安全プランク）に対する、フランジが付けられたプラットホームセクション２３、２４の長さＬ２３、Ｌ２４またはそれらのサブセクション２３ａ、２３ｂ、２４ａ、２４ｂを変更することによって、かごプラットホーム２１の様々な寸法が実現される。プラットホームセクション２２、２３、２４および２２、２３ａ、２３ｂ、２４ａ、２４ｂを製造するために様々な幅の鋼板をそれぞれ使用することによって、様々な幅Ｂが実現される。
【００４６】
第１の実施形態に関連して述べた全てのサブシステムおよび構成要素が、このかごプラットホーム２１のプラットホームセクション２２、２３、２４の中または上に組み込まれていてもよく、互いに分離されたプラットホームセクションの中または上へのサブシステムの組込みが、工場での準備組立として行われる。
【００４７】
上述のように、本実施形態では、中央プラットホームセクション２２に対するフランジが付けられたプラットホームセクション２３、２４またはそれらのサブセクション２３ａ、２３ｂ、２４ａ、２４ｂのそれぞれは、単純な平行曲げ加工によってＵ字形状が形成されている１つの一体金属薄板で製作される。全てのプラットホームセクションおよび／またはサブセクションは、かごプラットホーム２１と垂直に走りかごプラットホームに垂直方向の十分な剛性を与える垂直向きのウェブを有する。垂直ウェブの自由下端を追加固定できるように、これらは、例えば補助セクション３１によって一体に連結されてもよい。この補助セクション３１の取付けは、エレベータの設置場所で行われるだけである。
【００４８】
図３から容易に理解できるように、横方向に曲げられた比較的薄い金属薄板で製作されたセクションで構成されたプラットホームセクションは、かごプラットホームにその長手方向の十分な曲げ剛性を与えない。
【００４９】
したがって、ここに記載されたかごプラットホーム２１の実施形態では、エレベータの動作に必要とされる長手方向の剛性は、かごプラットホーム２１の２つの反対側にある側縁部の領域に、全てのプラットホームセクション２２、２３、２４の共通面にある上面がそれを用いて連結される２つの十分剛性のあるプラットホーム縁部セクション２８を設置場所で取り付けることによって確保される。
【００５０】
本実施形態においても、プラットホーム縁部セクション２８はさらに、かごの側壁（図示せず）とかごプラットホーム２１との間の締結要素として働く。この場合は長方形断面を有するプラットホーム縁部セクション２８をプラットホームセクション２２、２３、２４と側壁のどちらにも固定できるように、プラットホーム縁部セクション２８には、それらの全長に沿って複数のＴ形溝３２が設けられる。かごプラットホーム２１が設置場所で組み立てられるとき、適切な形状のねじ頭またはナットが、これらのＴ形溝３２に挿入され、プラットホームセクションおよび側壁にボルト締めされる。
【００５１】
この第２の実施形態ではプラットホームセクションが横支持体を備えていないこと、したがってかかる横支持体が別々に製造され在庫される必要がないことを除いては、第１の実施形態に関連するかごプラットホームの特性および利点ならびにエレベータを設置する方法の特徴および利点の全ては、ここに記載されている第２の実施形態にも適用される。
【図面の簡単な説明】
【００５２】
【図１】本発明によるエレベータかごのかごプラットホームの第１の実施形態の分解図である。
【図２】図１の分解図に示されるかごプラットホームの側面図である。
【図３】本発明によるエレベータかごのかごプラットホームの第２の実施形態の側面図である。
【図４】図３によるかごプラットホームの長手方向の図、およびかごプラットホームの断面図である。
【図１】
2008512325.tif 000003
【図２】
2008512325.tif 000004
【図３】
2008512325.tif 000005
【図４】
2008512325.tif 000006
【国際調査報告】
2008512325.tif 000007
2008512325.tif 000008
2008512325.tif 000009
2008512325.tif 000010
2008512325.tif 000011
2008512325.tif 000012